(57)【要約】      （修正有）【課題】上着を着た状態で、腕をまっすぐ下ろした直立の姿勢から、胸前に動かしたり、真上にしたり、真横後方にしたり、後方下にしたりというように、伸腕を３６０度回した時に感じる窮屈感を緩和して、ストレッチ性のない素材でも、腕をスムーズに動かすことができる上着を提供する。【解決手段】従来の上着着用時に、特に窮屈に感じる状態を、腕をまっすぐ下ろした状態１と、腕を胸前方に動かした状態２と、腕をまっすぐ上に上げた状態３と、真横に伸ばした腕を後方に動かした状態４と、更にその腕を伸ばしたまま後下に下げた状態５の５箇所の腕の位置で考え、それぞれの状態の窮屈感を３Ｄキャドで着内圧チェックして、特に着内圧の高い部分を抽出し、その袖付け方向を変える事で着内圧が緩和された５枚の袖パーツ型紙を作り、さらに２枚の袖型紙に集約する事で、機能性だけでなく、生産性や実用性も考慮して、腕が動かし易くなるようにしている。【選択図】図１１
0003201048.tif 000002
【実用新案登録請求の範囲】
【請求項１】
従来の上着を着用し、伸ばした腕を３６０度回す時に、特に窮屈感を感じる腕位置を５箇所設定し、それぞれの位置で、もっとも着内圧の高い部分を取り出し、その部分の袖付け方向を腕方向に合わせることで、窮屈感が緩和された５枚の袖パーツ型紙を、２枚に調整集約することで、窮屈感が少なく、腕があらゆる方向に対して動かし易い機能性と実用性を持った袖が付けられた上着。
【考案の詳細な説明】
【技術分野】
【０００１】  本考案は、腕が動かしやすい袖を付けた上着に関するものである。
【背景技術】
【０００２】  従来の上着は、腕をまっすぐ下に下ろした直立姿勢を基本にして、設計されているので、ジャストフィットの上着であると伸ばした腕を下から前、上、後の３６０度回す時に、動かし難く感じられる。
【考案の概要】
【考案が解決しようとする課題】
【０００３】  上着着用時に、腕を胸前に動かしたり、真上に上げてみたり、真横後方、さらにそのまま後方下というように３６０度回す時に、それぞれの窮屈感を緩和することで、腕を動かし易くすることを目的とする。
【課題を解決するための手段】
【０００４】  本考案は、従来の上着着用時に、特に腕が窮屈に感じる状態を、腕をまっすぐ下げた状態１と、腕を胸前方に動かした状態２と、腕をまっすぐ上に上げた状態３、真横に伸ばした腕を後方に動かした状態４、更にその腕を伸ばしたまま後下に下げた状態５の５箇所の腕の位置で考えて、それぞれの状態の窮屈感をキャド上の着内圧シミュレーションでチェックして、着内圧の高い部分の袖付け方向を変える事で、それを緩和した５枚の袖型紙パーツを作り、更に２枚の袖型紙に集約する事で、生産性と実用性も考慮し、腕が動かし易くなるように課題を解決している。
【考案の効果】
【０００５】  型紙上で可動性を加味されているので、ストレッチ性の無い生地で上着を作っても、通常の上着より、着用時にスムーズな腕の動きが可能になる。
【図面の簡単な説明】
【０００６】
【図１】従来の上着着用で伸ばした腕を下に下ろした状態１の着内圧図である。
【図２】従来の上着着用で腕を胸前に動かした状態２の着内圧図である。
【図３】従来の上着着用で伸ばした腕を上に上げた状態３の着内圧図である。
【図４】従来の上着着用で伸ばした腕を真横後方に動かした状態４の着内圧図である。
【図５】従来の上着着用で伸ばした腕を真横後方から下げた状態５の着内圧図である。
【図６】状態１での着内圧改善パーツ型紙である。
【図７】状態２での着内圧改善パーツ型紙である。
【図８】状態３での着内圧改善パーツ型紙である。
【図９】状態４での着内圧改善パーツ型紙である。
【図１０】状態５での着内圧改善パーツ型紙である。
【図１１】全５パーツ型紙の設定方向図である。
【図１２】全５パーツ型紙である。
【図１３】全５パーツを３パーツ・２パーツに集約した型紙である。
【図１４】オムニ・ディレクショナル・スリーブ（全方位袖）の完成型紙である。
【図１５】オムニ・ディレクショナル・スリーブ（全方位袖）の上着着用で状態１の着内圧図である。
【図１６】  オムニ・ディレクショナル・スリーブ（全方位袖）の上着着用で状態２の着内圧図である。
【図１７】オムニ・ディレクショナル・スリーブ（全方位袖）の上着着用で状態３の着内圧図である。
【図１８】オムニ・ディレクショナル・スリーブ（全方位袖）の上着着用で状態４の着内圧図である。
【図１９】オムニ・ディレクショナル・スリーブ（全方位袖）の上着着用で状態５の着内圧図である。
【考案を実施するための形態】
【０００７】  特に窮屈に感じる腕の位置を５箇所設定し、それぞれの位置で、運動量のゆとりを入れるのではなく、それぞれの位置で、特に着内圧の高い部分を抽出し、その袖パーツ型紙の袖付方向を変えることで、着内圧を低くした、いわば窮屈感が緩和された５つの別々の方向に向いた型紙パーツをつくり、さらに生産性や実用性も考慮して、それらを２枚に調整し、集約させることで、２枚袖でありながら、従来の上着にはない腕の運動機能を作り出す。
【実施例】
【０００８】  以下、添付図面に従って実施例を説明する。図１から、図５までは、３Ｄキャドの着内圧シミュレーションで、色の濃い部分が、着内圧が高く、窮屈感があることを示しているが、図１のように、伸ばした腕を下におろした状態１での着内圧が、上着の重量が掛る肩部分以外あまりないのは、従来の上着は、状態１を基本として、設計されている為で、従来の山袖パーツ型紙は、ほとんどそのまま利用することが可能であるが、最終的に他の４箇所の腕位置の着内圧改善パーツ型紙とアームホールのバランスを考慮して、部分的に使用することが最良であると考えられる。【０００９】  図２は、同様の３Ｄキャドで、腕を胸前に動かした状態２で、動かした腕と反対方向である、肩甲骨から腕への水平方向部分と、垂直方法の幅はアームホール上で肩先頂点から７ｃｍ下で、幅１２ｃｍくらいを中心に着内圧が高く、窮屈感を感じる。【００１０】  図３が示すように、従来の上着の設定は、腕を下げた状態なので、伸ばした腕を上に上げた状態３では、アームホールに沿って、その下部１４ｃｍくらいの幅を中心に着内圧が高く、現在市場にある上着のほとんどすべてのものが、腕が上げづらいことが、この３Ｄキャドの着内圧シミュレーションからもよく分かる。【００１１】  同様に、図４の伸ばした腕を真横後方に動かした状態４も、腕を上げた時と共通部分と新たに４ｃｍくらいの腕前部分に着内圧の高さがみられ、その辺に窮屈感があると考えられる。【００１２】  図４の位置から、そのまま伸ばした腕を真横後方から下げた状態５の着内圧を示したものが、図５であり、腕の方向と逆方向の、胸から肩先にかかるにアームホール上約９ｃｍ部分とそこから肩にかけて着内圧が高く、窮屈感があると考えられる。【００１３】  このように、本来の設定位置である図１以外は、腕を上げていくに従って、脇下と腕の方向と反対側のアームホールから身頃にかけて、着内圧が掛かるのは、それぞれの位置に設定させていない事が要因と考えて、まずは、アームホールの袖側全周５５ｃｍとして、図１から、図５までの着内圧の高い部分をべースに分割した結果、図１の状態でのアームホールの肩先頂点から、背中に７ｃｍ、前身方向に９ｃｍで、袖山パーツ全体で１６ｃｍ、図２の状態のアームホールの距離１２ｃｍ、図３の着内圧が高い部分の中心がアームホールの距離１４ｃｍ、図４は、図３の部分と重なる部分も多いが、新たに着内圧が高い部分の４ｃｍ、図５の状態の着内圧が高い部分を中心に９ｃｍというように分割して、この部分から、動かしたい方向に設定する。【００１４】  従来の上着の袖位置の設定が腕を下げた状態を基本にしている為、腕を下げた状態では、窮屈感はなく、他の４箇所の腕位置で比較的着内圧のない部分として、肩先頂点から背中に７ｃｍ、前身方向に９ｃｍ、合計１６ｃｍを設定し、従来の山袖パターンのアームホールとの縫合距離である、袖山のカーブ距離を３２ｃｍだとすると、袖山頂点から袖口の中心を中心線として、前身方向と後身方向が、９対７の比率で、全ての幅を５０％カットした部分が、図６の網掛け部分で塗り分けられた腕下用型紙１である。【００１５】  図２のように、着内圧が特に高い１２ｃｍくらいの幅を、本来だと前方水平方向の袖��けが運動機能的には良いが、アームホールの背部分に対して直角にすればするほど、身頃と袖の縫合距離が短くなる為、袖幅を大きくしなければならなくなるので、現状の袖幅をキープして、縫合距離を保つには、前下４５度くらいの方向が限界で、その位置で設定されたのが、図７のドット柄で塗り分けられた腕胸前用型紙２で、状態２での着内圧改善パーツである。【００１６】  次に、腕を真上に上げた図３のようにアームホールで１４ｃｍくらいが特に着内圧が高く、窮屈感があるので、図８のように１４ｃｍ幅のアームホール下部から、真上に向かって型紙設定し、身頃側との縫い距離を合わせる事と、脇下の運動量を確保するために、縫いづらくなるが、ゆるいＳ字のカーブで縫線を合わせることで、圧倒的な運動機能を確保された、アーガイル柄で塗り分けられた腕上げ用型紙３で、状態３での着内圧改善パーツである。【００１７】  図９のように、上にあげた腕を真横にしてそのまま後方に動かすと袖付の角度がアームホールに対して９０度近くになり接する箇所も点になるため、元々のアームホールに縫い合わされていた距離約４ｃｍと同寸の２辺と、腕の角度に合わせた二等辺三角形を付け足すことで、腕の方向と縫合距離を確保しているのが、ギンガムチェックに塗り分けられた腕後用型紙４で、状態４での着内圧改善パーツである。【００１８】  さらに、伸ばした腕を真横後方から、下に下げた状態５で着内圧の高い９ｃｍのアームホール部分から、後下見頃方向に設定したのが、図１０の千鳥柄で塗り分けられた腕後下用型紙５で、状態５での着内圧改善パーツである。【００１９】  このように、着内圧が軽減されるように、それぞれの方向に設定された５つのパーツ型紙を、それぞれの設定方向位置に置いて、全貌を示したものが、図１１である。【００２０】  次に、それら５パーツの型紙を、腕下用型紙１を中心に並べたものが、図１２で、これら５パーツを、縫うことで、下方向、胸前方向、上方向、後方向、後下方向の着内圧が改善された袖ができるが、従来の袖は、２パーツで出来ており、５パーツにすることで、切替が増え、その縫い代部分が、着用時に違和感を与えるという問題や、パーツが多いことで、従来の袖縫合距離の約２．５倍になり、単純に考えても２．５倍以上の縫製時間と縫い合せ時の難易度という問題がある。【００２１】  そのために、生産性を考慮して、それぞれの袖付けの部分の曲線や縫合距離をできるだけ変えないで、腕後用型紙４と腕後下用型紙５を集約した集約型紙１と、腕下用型紙１と腕前用型紙２を集約した集約型紙２と腕上げ用型紙３の３パーツに集約して、さらに、集約型紙１と集約型紙２を集約して、集約山袖型紙と腕上げ用型紙３の２枚袖にしたのが、図１３である。【００２２】  ただし、下袖に当たる腕上げ用型紙３が、集約山袖型紙に比べて、細すぎる為、袖口の切羽位置が悪いことと袖の落ち着きも悪くなってしまうので、集約山袖型紙から幅で５ｃｍ削り、腕上げ用型紙３に幅で５ｃｍ移動させることで、それらを解消して、従来のように上袖と下袖の２パーツで構成され、従来の服とは圧倒的に全方位の可動性がある袖、いわゆるオムニ・ディレクショナル・スリーブ（全方位袖）の完成型紙が、図１４の右図である。【００２３】  図１５から図１９は、全方位の可動性を考えたオムニ・ディレクショナル・スリーブ（全方位袖）の上着の着内圧を、図１から図５で設定した上着と同サイズ・同素材・同ボディで、オムニ・ディレクショナル・スリーブを使った上着の着内圧シミュレーションをした図で、図１５と図１を比較してみると、前述の通り、従来の上着も袖を下げた状態で設定されている為に、それほどの違いが見られないのである。【００２４】  しかし、図１６と図２を比較すると、明らかに着内圧を示す部分が、小さくなっていることがわかるということは、従来の上着より腕を胸の前に動かし易いといえる。【００２５】  腕を上に上げた状態３のオムニ・ディレクショナル・スリーブ（全方位袖）の上着着用時の着内圧図である図１７と、同条件で従来の上着着用の着内圧図３も、明らかに着内圧が高い部分が小さくなっているということは、腕を上に上げ易い上着であるといえる。【００２６】  図１８も同様に、図４と比較しても、着内圧の改善がみられるので、腕を後ろに動かし易いといえる。【００２７】  図１９と図５を比較してみても、アームホール部分の色が薄くなっているので、着内圧の改善は、ここでもわかる。【００２８】  このように、着難いところは、着内圧の高いところであり、袖付けの方向性を変えることで、その着内圧が改善され、着やすく且つ動きやすい上着ができることは、着内圧シミュレーション上でもわかるが、実際に従来袖の上着とオムニ・ディレクショナル・スリーブ（全方位袖）で同素材・同寸法の上着を作り、それらを着比べてみたが、従来の袖よりも、圧倒的に動きやすいことは、実証された。
【産業上の利用可能性】
【００２９】本考案は、ドレススーツからカジュアルコートに至る全てのアウターに利用することが可能で、素材のストレッチ性がなくても、腕の運動機能が確保されるので、ドレスウェア、カジュアルウェア、スポーツウェア、ワークウェアなど、さまざまなアウターへの広がりの可能性を有している。
【図１】
0003201048.tif 000003
【図２】
0003201048.tif 000004
【図３】
0003201048.tif 000005
【図４】
0003201048.tif 000006
【図５】
0003201048.tif 000007
【図６】
0003201048.tif 000008
【図７】
0003201048.tif 000009
【図８】
0003201048.tif 000010
【図９】
0003201048.tif 000011
【図１０】
0003201048.tif 000012
【図１１】
0003201048.tif 000013
【図１２】
0003201048.tif 000014
【図１３】
0003201048.tif 000015
【図１４】
0003201048.tif 000016
【図１５】
0003201048.tif 000017
【図１６】
0003201048.tif 000018
【図１７】
0003201048.tif 000019
【図１８】
0003201048.tif 000020
【図１９】
0003201048.tif 000021